(57)【要約】【課題】布片を連続して供給することができ処理速度が速い布片シワ伸ばし装置を提供する。【解決手段】第１コンベア１１、第２コンベア１２、第３コンベア１３と、擦り部材２０と、押えローラ３１，・・・，３５とを備えており、第１コンベア１１に比べて第２コンベア１２の方が速度が速く、第２コンベア１２に比べて第３コンベア１３の方が速度が速く、擦り板２０は第２コンベア１２の後端と第３コンベア１３の前端とを結ぶ線より突出している。布片Ｔに縦方向に引っ張る力が加わりシワを伸ばすことができる。布片Ｔを連続して供給することができるので処理速度が速い。布片Ｔを引っ張りながら擦り板２０で擦ることによりシワを伸ばすことができる。【選択図】図１
2011234768.tif 000002
【特許請求の範囲】
【請求項１】
布片が供給される第１コンベアと、該第１コンベアに接続する第２コンベアとを備え、
前記第１コンベアに比べて前記第２コンベアの方が速度が速い
ことを特徴とする布片シワ伸ばし装置。
【請求項２】
前記第１コンベアと前記第２コンベアに布片を押える押え機構を備える
ことを特徴とする請求項１記載の布片シワ伸ばし装置。
【請求項３】
前記第１コンベアと前記第２コンベアとの間に位置する擦り部材を備えており、
前記擦り部材は、前記第１コンベアの後端と前記第２コンベアの前端とを結ぶ線より突出している
ことを特徴とする請求項１または２記載の布片シワ伸ばし装置。
【請求項４】
前記擦り部材は板状であり、
該擦り部材の第２コンベア側の縁部が、前記第１コンベアの後端と前記第２コンベアの前端とを結ぶ線より突出している
ことを特徴とする請求項３記載の布片シワ伸ばし装置。
【請求項５】
布片が供給される第１コンベアと、該第１コンベアに接続する第２コンベアと、該第２コンベアに接続する第３コンベアと、前記第２コンベアと前記第３コンベアとの間に位置する擦り部材と、前記第２コンベアと前記第３コンベアに布片を押える押え機構とを備えており、
前記第１コンベアに比べて前記第２コンベアの方が速度が速く、
前記第２コンベアに比べて前記第３コンベアの方が速度が速く、
前記擦り部材は、前記第２コンベアの後端と前記第３コンベアの前端とを結ぶ線より突出している
ことを特徴とする布片シワ伸ばし装置。
【請求項６】
前記擦り部材は板状であり、
該擦り部材の第３コンベア側の縁部が、前記第２コンベアの後端と前記第３コンベアの前端とを結ぶ線より突出している
ことを特徴とする請求項５記載の布片シワ伸ばし装置。
【発明の詳細な説明】
【技術分野】
【０００１】
本発明は、布片シワ伸ばし装置に関する。さらに詳しくは、洗濯・乾燥済みのタオル等の布片のシワを伸ばし、次工程の処理装置に供給するための布片シワ伸ばし装置に関する。
【背景技術】
【０００２】
ホテルや病院等では大量にタオル等の布片が使用され、その使用済みの布片はランドリー工場で洗濯・乾燥され、再度ホテルや病院などで使用されることが一般的である。
ランドリー工場においては布片を洗濯後、熱風乾燥させ、折畳み機で折畳む作業が行なわれる。洗濯・乾燥後の布片は全体に丸まったり、シワが寄ったりした状態であるので、折畳み機に布片を供給するには布片を予め展開させ、シワを伸ばす必要がある。
布片のシワを伸ばす作業を作業員が行う場合、作業に多大な時間と労力が必要であるため、近年ではこの作業は布片シワ伸ばし装置によって行われている。
【０００３】
布片シワ伸ばし装置の一例として、特許文献１の装置がある。
図６に示すように、本装置は布片130の一辺を把持する電動クランプ101と、布片130を把持した電動クランプ101を所定の角度で上昇するように搬送するレール111と、布片130の後方部分を支持する板状部材113と、側面部表面がゴムによって形成されたローラ103とを備えている。
布片130を電動クランプ101に把持させると、布片130を把持した状態の電動クランプ101が図中右側方向へと搬送される。搬送開始と同時に、ローラ103が図中反時計方向に回転を開始する。このため、布片130の把持された一辺は電動クランプ101によって図中右側に引っ張られるのに対し、ローラ103の側面に接した、布片130の裏面は図中左側に引っ張られるので、布片130に図中左右方向の張力を与え、シワを延ばす効果を得ることができる。
【０００４】
しかるに、従来の布片シワ伸ばし装置は布片130を一枚ずつ電動クランプ101に把持させ、電動クランプ101がレール111上を往復動作しなければならないため、処理速度が遅いという問題がある。
【先行技術文献】
【特許文献】
【０００５】
【特許文献１】特開平１１−１１７６４号公報
【発明の概要】
【発明が解決しようとする課題】
【０００６】
本発明は上記事情に鑑み、布片を連続して供給することができ処理速度が速い布片シワ伸ばし装置を提供することを目的とする。
【課題を解決するための手段】
【０００７】
第１発明の布片シワ伸ばし装置は、布片が供給される第１コンベアと、該第１コンベアに接続する第２コンベアとを備え、前記第１コンベアに比べて前記第２コンベアの方が速度が速いことを特徴とする。
第２発明の布片シワ伸ばし装置は、第１発明において、前記第１コンベアと前記第２コンベアに布片を押える押え機構を備えることを特徴とする。
第３発明の布片シワ伸ばし装置は、第１または第２発明において、前記第１コンベアと前記第２コンベアとの間に位置する擦り部材を備えており、前記擦り部材は、前記第１コンベアの後端と前記第２コンベアの前端とを結ぶ線より突出していることを特徴とする。
第４発明の布片シワ伸ばし装置は、第３発明において、前記擦り部材は板状であり、該擦り部材の第２コンベア側の縁部が、前記第１コンベアの後端と前記第２コンベアの前端とを結ぶ線より突出していることを特徴とする。
第５発明の布片シワ伸ばし装置は、布片が供給される第１コンベアと、該第１コンベアに接続する第２コンベアと、該第２コンベアに接続する第３コンベアと、前記第２コンベアと前記第３コンベアとの間に位置する擦り部材と、前記第２コンベアと前記第３コンベアに布片を押える押え機構とを備えており、前記第１コンベアに比べて前記第２コンベアの方が速度が速く、前記第２コンベアに比べて前記第３コンベアの方が速度が速く、前記擦り部材は、前記第２コンベアの後端と前記第３コンベアの前端とを結ぶ線より突出していることを特徴とする。
第６発明の布片シワ伸ばし装置は、第５発明において、前記擦り部材は板状であり、該擦り部材の第３コンベア側の縁部が、前記第２コンベアの後端と前記第３コンベアの前端とを結ぶ線より突出していることを特徴とする。
【発明の効果】
【０００８】
第１発明によれば、第１コンベアに比べて第２コンベアの方が速度が速いので、布片に縦方向に引っ張る力が加わり、布片のシワを伸ばすことができる。また、第１コンベアに布片を連続して供給することができるので、処理速度が速い。
第２発明によれば、布片を押える押え機構を備えるので、布片と第１コンベア、第２コンベアとの摩擦が増し、布片が第１コンベア、第２コンベアの速度に従って移動するので、確実に布片のシワを伸ばすことができる。
第３発明によれば、擦り部材が突出しているので、布片は第１コンベアと第２コンベアとの間を通過する際に擦り部材で擦られる。布片を第１コンベアと第２コンベアで引っ張りながら擦り部材で擦ることにより、さらに布片のシワを伸ばすことができる。
第４発明によれば、擦り部材が板状であるので、布片が第１コンベアから第２コンベアへスムーズに流れることができる。また、擦り部材の縁部が突出しているので、布片を第１コンベアと第２コンベアで引っ張りながら擦り部材で擦ることにより、さらに布片のシワを伸ばすことができる。
第５発明によれば、第１コンベアに比べて第２コンベアの方が速度が速いので、布片に縦方向に引っ張る力が加わり、布片のシワを伸ばすことができる。また、第２コンベアに比べて第３コンベアの方が速度が速いので、布片に縦方向に引っ張る力が加わり、さらに布片のシワを伸ばすことができる。また、第１コンベアに布片を連続して供給することができるので、処理速度が速い。さらに、擦り部材が突出しているので、布片は第２コンベアと第３コンベアとの間を通過する際に擦り部材で擦られる。布片を第２コンベアと第３コンベアで引っ張りながら擦り部材で擦ることにより、さらに布片のシワを伸ばすことができる。
第６発明によれば、擦り部材が板状であるので、布片が第２コンベアから第３コンベアへスムーズに流れることができる。また、擦り部材の縁部が突出しているので、布片を第２コンベアと第３コンベアで引っ張りながら擦り部材で擦ることにより、さらに布片のシワを伸ばすことができる。
【図面の簡単な説明】
【０００９】
【図１】一実施形態に係る布片シワ伸ばし装置の側面図である。
【図２】同布片シワ伸ばし装置の平面図である。
【図３】同布片シワ伸ばし装置の動作説明図である。
【図４】他の実施形態に係る布片シワ伸ばし装置の（Ａ）は平面図、（Ｂ）は側面図である。
【図５】他の実施形態に係る布片シワ伸ばし装置の（Ａ）は平面図、（Ｂ）は側面図である。
【図６】従来の布片シワ伸ばし装置の側面図である。
【発明を実施するための形態】
【００１０】
つぎに、本発明の実施形態を図面に基づき説明する。
図１および図２に示すように、本発明の一実施形態に係る布片シワ伸ばし装置は、第１コンベア１１、第２コンベア１２、第３コンベア１３を備えており、それぞれ図示しないフレームに固定されている。
第１コンベア１１は、作業員が洗濯・乾燥済みのタオル等の布片Ｔを積載するコンベアであり、作業員が布片Ｔを載せやすいように前端（図１における右端）が腰程度の高さとなっており、傾斜を有すことにより積載面が作業員に対面するようになっている。第１コンベア１１の後端（図１における左端）には第２コンベア１２が接続されており、第２コンベア１２の後端には第３コンベア１３が接続されている。そして、第３コンベア１３の後端には次工程の処理装置、例えば折畳み装置のコンベアＣに接続されている。
これら第１，第２，第３コンベア１１，１２，１３の横幅は、布片Ｔの横幅が十分に収まるような寸法になっている。
【００１１】
また、第１コンベア１１に比べて第２コンベア１２の方が速度が速く、第２コンベア１２に比べて第３コンベア１３の方が速度が速く設定されている。例えば、第１コンベア１１の速度が15m/分、第２コンベア１２の速度が25〜30m/分、第３コンベア１３の速度が50m/分に設定される。
【００１２】
第２コンベア１２の後端と第３コンベア１３の前端との間には擦り板２０が固定されている。擦り板２０は第１，第２，第３コンベア１１，１２，１３と同寸法の幅を有する平面視長方形の板である。擦り板２０の前縁部（第２コンベア１２側の縁部）は第２コンベア１２の後端と同程度の高さとなっており、布片Ｔが第２コンベア１２から擦り部材２０にスムーズに流れるようになっている。また、擦り板２０の後縁部（第３コンベア１３側の縁部）は第３コンベア１３の前端よりも高く設定されている。すなわち、擦り板２０の後縁部は第２コンベア１２の後端と第３コンベア１３の前端とを結ぶ線より突出している。
【００１３】
第１，第２，第３コンベア１１，１２，１３の上方には布片Ｔをコンベア１１，１２，１３の積載面に押える押えローラ３１，・・・，３５が設けられている。第１押えローラ３１は第１コンベア１１の前方（図１における右方）に位置しており、作業員が積載した布片Ｔが落下しないように押えるようになっている。第２押えローラ３２は第１コンベア１１の後端に位置し、第３押えローラ３３は第２コンベア１２の中央付近に位置しており、それぞれ布片Ｔが第１コンベア１１、第２コンベア１２の速度に従って移動するように押えるようになっている。第４押えローラ３４は第２コンベア１２の後端に位置し、第５押えローラ３５は第３コンベア１３の前端に位置しており、それぞれ布片Ｔが第２コンベア１２、第３コンベア１３の速度に従って移動するように押え、かつ布片Ｔが擦り板２０に擦れるように押えるようになっている。
なお、押えローラ３１，・・・，３５は特許請求の範囲に記載の押え機構に相当する。
【００１４】
つぎに、本実施形態に係る布片シワ伸ばし装置の動作について説明する。
まず、作業員が洗濯・乾燥済みの布片Ｔの一辺を辺出し、その一辺を横に伸ばして第１コンベア１１に積載する（図１，図２）。そうすると、第１コンベア１１の動作により布片Ｔが図１における矢印方向に移動し、布片Ｔの進行方向前部分が第１コンベア１１と第１押えローラ３１に挟まれ、落下しないようになる。このとき、布片Ｔの進行方向後部分は第１コンベア１１の前端から下方に垂れ下るようになり、布片Ｔが縦方向に展開される。
【００１５】
つぎに、第１コンベア１１の動作により、布片Ｔの前部分が第２コンベア１２に渡る（図３（Ａ））。そうすると、第１コンベア１１に比べて第２コンベア１２の方が速度が速いので、布片Ｔに縦方向（図３における左右方向）に引っ張る力が加わり、布片Ｔのシワを伸ばすことができる。このとき、布片Ｔの前部分は第２コンベア１２と第３押えローラ３３で挟まれ、後部分は第１コンベア１１と第２押えローラ３２で挟まれているので、布片Ｔと第１、第２コンベア１１，１２との摩擦が増し、確実に布片Ｔを縦方向に引っ張ることができる。
【００１６】
つぎに、布片Ｔの前部分が擦り板２０の上を流れ、第３コンベア１３に渡る（図３（Ｂ））。ここでも、第２コンベア１２に比べて第３コンベア１３の方が速度が速いので、布片Ｔに縦方向（図３における左右方向）に引っ張る力が加わり、再度布片Ｔのシワを伸ばすことができる。このとき、布片Ｔの前部分は第３コンベア１３と第５押えローラ３５で挟まれ、後部分は第２コンベア１２と第４押えローラ３４で挟まれているので、布片Ｔと第２，第３コンベア１２，１３との摩擦が増し、確実に布片Ｔを縦方向に引っ張ることができる。
【００１７】
また、擦り板２０の後縁部が突出しており、布片Ｔは第４，第５押えローラ３４，３５で押えられるので、布片Ｔは擦り板２０の後縁部から第５押えローラ３５に向かって斜め下向きに引っ張られ、擦り板２０の後縁部で擦られるようになる。布片Ｔを第２コンベア１２と第３コンベア１３で引っ張りながら擦り板２０で擦ることにより、布片Ｔのシワを完全に伸ばすことができる。
【００１８】
最後に、布片Ｔが第３コンベア１３から次工程の処理装置のコンベアＣに渡ることにより布片Ｔのシワ伸ばしが完了する（図３（Ｃ））。
【００１９】
上記の説明では、布片Ｔを一枚処理する工程を説明したが、布片Ｔの後部分が第１押えローラ３１を通過すれば（図３（Ａ））、次の布片Ｔを積載し、シワ伸ばし処理を開始することができる。すなわち、第１コンベア１１に布片Ｔを連続して供給することができるので、処理速度が速い。
【００２０】
（他の実施形態）
前記実施形態では布片Ｔを第１，第２，第３コンベア１１，１２，１３の積載面に押えるために押えローラ３１，・・・，３５を設けたが、これに代えてコンベア１１，１２，１３の下方にバキュームボックス４０を設ける実施形態としてもよい（図４参照）。
布片Ｔをバキュームボックス４０で吸引することにより、コンベア１１，１２，１３に押さえることができるので、布片Ｔとコンベア１１，１２，１３との摩擦が増す。そうするとこで、布片Ｔがコンベア１１，１２，１３の速度に従って移動するので、確実に布片Ｔのシワを伸ばすことができる。
なお、図４は、押えローラ３５と第１，第２コンベア１１，１２の下方に設けたバキュームボックス４０とを組み合わせた実施形態を示す。
【００２１】
また、押えローラ３１，・・・，３５に代えてコンベア１１，１２，１３の積載面に対面し接触する圧迫コンベア５１，５２を設ける実施形態としてもよい（図５参照）。
布片Ｔをコンベア１１，１２，１３と圧迫コンベア５１，５２で挾持することにより、布片Ｔとコンベア１１，１２，１３との摩擦が増す。そうすることで、布片Ｔがコンベア１１，１２，１３の速度に従って移動するので、確実に布片Ｔのシワを伸ばすことができる。
なお、図５は、押えローラ３５と第１，第２コンベア１１，１２上に設けた圧迫コンベア５１，５２とを組み合わせた実施形態を示す。
このように、布片Ｔをコンベア１１，１２，１３の積載面に押えることができるものであれば、他の押え機構を用いることができる。
【００２２】
前記本実施形態では擦り板２０を板状としたが、これに変えて他の形状、例えば棒状の擦り部材としてもよい。この場合、擦り部材を第２コンベアの後端と第３コンベアの前端とを結ぶ線より突出させて、布片Ｔを擦ることができればよい。
ただし、板状とすれば、布片Ｔを第２コンベア１２からスムーズに流すことができるので好適である。
【００２３】
また、コンベアの数は３つに限られず２つでもよいし、４つ以上でもよい。擦り板も２つ以上設けてもよく、その位置も任意のコンベア間に配置することができる。
例えば、コンベアを２つとし、その２つのコンベアの間に擦り板を設ける実施形態としてもよい。この場合でも、布片Ｔのシワを伸ばすことができ、かつ装置全体の寸法を短くすることができる。より多くのコンベアと擦り板を用いれば、確実に布片Ｔのシワを伸ばすことができる。
特許請求の範囲に記載の第１コンベア、第２コンベア、第３コンベアは便宜的に採番したものであり、その前後にさらに別のコンベアが付加されてもよく、第１コンベアは作業員が布片Ｔを供給するコンベアに限られず、他のコンベアから布片が供給されるコンベアも含む概念である。
【符号の説明】
【００２４】
１１  第１コンベア
１２  第２コンベア
１３  第３コンベア
２０  擦り部材
３１  第１押えローラ
３２  第２押えローラ
３３  第３押えローラ
３４  第４押えローラ
３５  第５押えローラ
【図１】
2011234768.tif 000003
【図２】
2011234768.tif 000004
【図３】
2011234768.tif 000005
【図４】
2011234768.tif 000006
【図５】
2011234768.tif 000007
【図６】
2011234768.tif 000008